(57)【特許請求の範囲】
【請求項１】
容器本体の口筒に、起立して注出通路を形成する注出筒片を有する本体キャップを組付けた継続使用容器と、詰め替え用内容液を収納する壜体の口筒部に結合蓋を組付けた詰め替え容器とを有し、詰め替え容器の継続使用容器への組付けにより内容液の詰め替えを可能とした詰め替え容器と継続使用容器との組合せであって、
前記壜体の胴部は、内容液が自然流下した注出による内部の減圧化に伴って、減容変形可能な薄肉に形成され、前記結合蓋に、前記注出筒片に嵌入組付きする嵌合筒と該嵌合筒を塞ぐ中栓を設け、
さらにリングの中心に向かって突片状に延出する一対の梁片を備えた組付きリングを前記注出筒片の内周面に設け、前記一対の梁片の先端に嵌入組付けされた前記嵌合筒の中栓を押上げて開放する押上げ体を高低差を有する状態で起立設したことを特徴とする継続使用容器と詰め替え容器の組合せ。
【請求項２】
壜体の胴部の減容変形を、捩れ状に折り畳み変形しながら縦方向に縮小する変形とした請求項１に記載の継続使用容器と詰め替え容器の組合せ。
【請求項３】
中栓を、嵌合筒の先端部に設けた請求項１または２に記載の継続使用容器と詰め替え容器の組合せ。
【請求項４】
高い方の押上げ片を中栓を押上げて開放する部分とし、低い方の押上げ片を前記中栓を解放姿勢に保持する部分とした請求項１〜３の何れか１項に記載の継続使用容器と詰め替え容器の組合せ。
【請求項５】
中栓を、ヒンジ付きとして嵌合筒に組付けた請求項１〜４のいずれか１項に記載の継続使用容器と詰め替え容器の組合せ。
【発明の詳細な説明】
【技術分野】
【０００１】
本発明は、洗剤、柔軟剤、漂白剤、入浴剤、食品、化粧品、薬品等の詰め替え内容液の継続使用容器と詰め替え容器の組合せに関するもので、さらに詳言すれば、起立した樋状の注出筒片を有する継続使用容器に対して、詰め替え容器から詰め替え内容液を好適に充填する継続使用容器と詰め替え容器の組合せに関するものである。
【背景技術】
【０００２】
容器本体の上端開口部から、内容液の注出用の樋状注出筒片を突出させた注出容器が数多く利用されており、この種の容器は計量機能部を付帯させているのが一般であるので、その分、価格が高いものとなっている。
【０００３】
このため、この種の容器を継続使用するものとし、補充すべき内容液は、安価な詰め替え容器に収納し、この詰め替え容器に収納した内容液を、継続使用容器に移し替えることにより、商品の価格を、収納容器の価格に相当する分だけ安価となるようにしている。また、詰め替え容器は、樹脂量減や減容化されることで環境にやさしいものとなる。
【０００４】
この詰め替え容器から継続使用容器への内容液の詰め替えに際して、この内容液の詰め替えは、継続使用容器に対する詰め替え容器からの内容液の注ぎ込みとなるため、液跳ねや、液ダレ等により周囲を汚してしまうことがあり、またこの内容液の注ぎ込みが終了するまで、詰め替え容器を保持し続けなければならず、詰め替え作業が気苦労の多いものとなる、と云う不満があった。
【０００５】
この不満を解消する従来技術の一つとして、特開２００４−０９９０８２公報に示された、容器開口部に管状のノズルが突出するトランジッションキャップを備えた繰り返し使用容器に充填する詰め替え用の内容液を収納した詰め替え容器で、詰め替え容器本体を備えると共に、この容器開口縁部に沿って備えられるバックアップリングと、バックアップリングに嵌め込まれて繰り返し使用容器のトランジッションキャップの開口部周縁に着脱可能に嵌合し、ノズルが挿抜自在に挿通されるフィトジョイントと、詰め替え容器本体の開口を密封し、フィトジョイントに挿通されるノズルによって開閉される内蓋と、詰め替え容器本体の開口の内蓋外側を覆う外蓋を備える構成のものが知られている。
【０００６】
上記した従来技術にあっては、繰り返し使用容器のトランジッションキャップに対して、詰め替え容器のフィトジョイントが装着された状態で内蓋が開放されるので、内容液の液跳ねや液ダレが無いと共に、繰り返し使用容器に対して詰め替え容器が倒立姿勢で組付け保持されるので、内容液の詰め替え作業中に、詰め替え容器を保持し続ける必要がなくなる。
【０００７】
しかしながら、上記した従来技術にあっては、ノズルで押上げられて内容液の詰め替え口を形成する内蓋が、単純な平板構造であるため、この内蓋を押上げているノズルの上端開口部を殆ど塞ぐ姿勢で位置することになり、このため繰り返し使用容器に対する詰め替え容器からの内容液の詰め替え動作が円滑に達成されない、と云う問題があった。
【０００８】
すなわち、ノズルの上端開口部が内蓋により殆ど塞がれるので、詰め替えされる内容液は、ノズルの両側を通って流動することになるが、この通路は繰り返し使用容器から詰め替え容器への空気の「逃げ」通路ともなるため、詰め替え内容液と繰り返し使用容器からの詰め替えが円滑に達成されない、と云う問題があった。
【先行技術文献】
【特許文献】
【０００９】
【特許文献１】特開２００４−０９９０８２公報
【発明の概要】
【発明が解決しようとする課題】
【００１０】
そこで、本発明は、上記した従来技術における問題点を解消すべく創案されたもので、起立した注出筒片を有する継続使用容器と詰め替え内容液を収納した詰め替え容器の組合せにおいて、内容液の安定した詰め替え動作を得ると共に、詰め替え容器の好ましい廃棄状態を得ることを技術的課題とし、もって詰め替え内容液液を良好に詰め替えすると共に、詰め替え後の詰め替え容器の良好な廃棄処理を得ることを目的とする。
【課題を解決するための手段】
【００１１】
上記技術的課題を解決するための本発明の主たる構成は、
容器本体の口筒に、起立して注出通路を形成する注出筒片を有する本体キャップを組付けた継続使用容器とを有し、詰め替え容器の継続使用容器への組付けにより内容液の詰め替えを可能とした詰め替え容器と継続使用容器との組合せであること、
壜体の胴部は、内容液が自然流下した注出による内部の減圧化に伴って、減容変形可能な薄肉に形成されていること、
詰め替え容器の結合蓋に、継続使用容器の注出筒片に嵌入組付きする嵌合筒を設け、この嵌合筒を塞ぐ中栓を設けること、
リングの中心に向かって突片状に延出する一対の梁片を備えた組付きリングを前記注出筒片の内周面に設けること、
一対の梁片の先端に嵌入組付けされた嵌合筒の中栓を押上げて開放する押上げ体を高低差を有する状態で起立設したこと、
にある。
【００１２】
倒立させた詰め替え容器を、その嵌合筒を継続使用容器の注出筒片に上方から嵌入させながら押し込んで行くと、嵌合筒の注出筒片への嵌入組付けにより、継続使用容器に対する詰め替え容器の倒立姿勢での組付きが保持されることになり、さらに嵌合筒の注出筒片への押し込みを進めると、詰め替え容器の中栓に対する継続使用容器の押上げ体の突き当たりにより、中栓は押上げられながら傾動変位して開口を形成する。
【００１３】
満杯状に近く内容液を充填した壜体を、口筒部を固定した状態で倒立姿勢にして開口すると、壜体は、外気を内部に侵入させることなく一定量の内容液を自重により注出させることになるが、この際、内容液の注出の進行に伴って、胴部が減容変形する。
【００１４】
この際、詰め替え容器は倒立姿勢を保持されているので、減容変形を進行させながら、継続使用容器と詰め替え容器の組合せ物は安定した自立状態を保持する。
【００１５】
この状態のまま内容液の自重による注出が進行し、壜体の胴部の減容変形が或る程度進行すると、この壜体の胴部の減容変形に伴って発生する抵抗により、一旦は内容液の自重による注出が自動的に停止するが、すぐに開口から外気を気泡状に吸引して、息つき状に内容液の注出を継続させ、これにより内容液の詰め替えを完了させる。
この際、壜体の胴部に減容変形による潰れ形状の癖が付けられることになる。
【００１６】
このように、内容液の詰め替えは、内容液の自然注出による詰め替え容器の減容変形に伴い完了するので、内容液の詰め替えが完了した際には、詰め替え容器は、その胴部が減容変形した姿勢となっており、この詰め替え容器を継続使用容器から離脱させて廃棄する際には、詰め替え容器を上方から押し潰して略完全な押し潰し状態とし、これにより十分に減容化させる。
【００１７】
本発明の別の構成は、上記した主たる構成に加えて、壜体の胴部の減容変形を、捩れ状に折り畳み変形しながら縦方向に縮小する変形とした、ものである。
【００１８】
壜体の胴部の減容変形を、捩れ状に折り畳み変形しながら縦方向に縮小する変形としたものにあっては、壜体の胴部の減容変形がある程度進行すると、捩れ状に折り畳み変形しながら縦方向に縮小する変形した部分同士が突き当たり、胴部内の減容変形に対する抵抗が発生する。これにより壜体の胴部の減容変形および内容液の注出が一旦停止するが、すぐに内容液の注出が継続する。この場合、胴部の減容変形は、捩れ状の折り畳み変形なので、胴部の縦方向の縮小変形は直立姿勢を保持した状態で進行する。
【００１９】
また、本発明の別の構成は、上記した主たる構成に加えて、中栓を、嵌合筒の先端部に設けた、ものである。
【００２０】
中栓を、嵌合筒の先端部に設けたものにあっては、中栓を嵌合筒の開口部間近に位置させることができるので、押上げ体に対して中栓を対向させるのが容易となると共に、押上げ体を、嵌合筒内に深く侵入させることなく中栓に対向させることができるので、その分押上げ体の構造を簡単化させることができる。
【００２１】
また、本発明の別の構成は、上記した主たる構成に加えて、高い方の押上げ片を中栓を押上げて開放する部分とし、低い方の押上げ片を中栓を解放姿勢に保持する部分とした、ものである。
【００２２】
押上げ片を、中栓を押上げて開放する部分と、中栓を解放姿勢に保持する部分を有する構成としたものにあっては、押上げ片の開放する部分により押上げられて傾動開放した中栓を、引き続き開放姿勢を保持する部分により保持するので、形成される注出路の流路面積を、安定して一定に保持することができる。
【００２３】
また、本発明の別の構成は、上記した主たる構成に加えて、中栓をヒンジ付きとして嵌合筒に組付けた、ものである。
【００２４】
中栓をヒンジ付きとして嵌合筒に組付けたものにあっては、中栓の開放揺動方向を一定に規制することができるので、中栓の開放傾動動作を一定して安定したものとすることができる。
【発明の効果】
【００２５】
本発明は、上記した構成となっているので、以下に示す効果を奏する。
本発明の主たる構成にあっては、詰め替え内容液の自重による自然流下に伴う壜体の減容変形は、継続使用容器に対する詰め替え容器の倒立状態での組付きが安定的に維持されているので、継続使用容器と詰め替え容器の組合せ物の自立機能が安定して維持され、これにより手を添えることなく、内容液の詰め替えを安定して達成することができる。
【００２６】
内容液の注出が完了した壜体は、その胴部をある程度減容変形した状態となっているので、この壜体に対して縦方向に押し潰し力を作用させることにより、この壜体を容易に縦方向に押し潰し状に減容変形させることができ、これにより壜体の廃棄処理を好適に効率良く行うことができる。
【００２７】
壜体の胴部の減容変形を、捩れ状に折り畳み変形しながら縦方向に縮小する変形としたものにあっては、捩れ状に折り畳み変形しながら進行するので、縦方向の縮小変形は直立姿勢を保持した状態で進行し、これにより直立姿勢の維持が安定して達成され、また縦方向の縮小変形が一定したものとなる。
【００２８】
中栓を、嵌合筒の先端部に設けたものにあっては、押上げ体の構造を簡単化させることができるので、継続使用容器の構造の簡単化を得ることができる。
【００２９】
押上げ片を、中栓を押上げて開放する部分と、中栓を解放姿勢に保持する部分を有する構成としたものにあっては、形成される注出路の流路面積を、安定して一定に保持することができるので、詰め替え内容液の精度の良い自然注出動作を得ることができ、内容液の確実な詰め替え動作を得ることができる。
【００３０】
中栓をヒンジ付きとし嵌合筒に組付けたものにあっては、中栓の開放傾動方向が一定しているので、安定して正確な開放動作を得ることができる。
【図面の簡単な説明】
【００３１】
【図１】本発明の一実施形態例を示す、一部縦断した組立て説明図である。
【図２】図１の実施形態例の組付け状態を示す、一部縦断面図である。
【図３】図１の実施形態例の詰め替え初期状態を示す、一部縦断面図である。
【図４】図１の実施形態例の詰め替え途中の状態を示す、一部縦断面図である。
【図５】図１の実施形態例の詰め替え完了及び押し潰し状態を示す、一部縦断面図である。
【図６】押上げ体の実施例を示す、断面図である。
【図７】中栓の第二の実施例を示す、断面図である。
【発明を実施するための形態】
【００３２】
以下、本発明の実施形態例を、図面を参照しながら説明する。
本発明における詰め替え容器Ａ（図１参照）は、洗剤や入浴剤等の詰め替え用内容液Ｎを収納する、底部５を有する胴部４の上端に肩部３を介して口筒部２を連設してボトル状に構成された壜体１と、この壜体１の口筒部２に、密に螺合組付けされる結合蓋２０とから構成されている。なお、口筒部２に対する結合蓋２０の組付きは螺合に限ることはなく、アンダーカット結合でも良い。
【００３３】
壜体１は、ポリプロピレン樹脂製の２軸延伸ブロー成形品で、全高１２５ｍｍ、胴部４外径７０ｍｍ、容量３００ｍｌであり、胴部４の周壁には、山折状に縦方向に等間隔に３本の稜線１２が形成されており、周壁は隣接する稜線１２を平断面形状が円弧状の３ケのパネル壁１１で連結して構成されている。
【００３４】
また、各パネル壁１１には一方の側端に位置する稜線１２の上端部と他方の側端部に位置する稜線１２の下端部を対角線状に連結する谷折状の折目線１３を形成し、これら３本の折目線１３が周方向に並列状に傾斜している。
【００３５】
ここで、３本の稜線１２は、正３角形の頂点に配置され、壜体１に作用する横方向の力に対して柱部として機能を発揮する。また、この胴部４の周壁は、稜線１２部分を除いて、上端と下端から中央高さ位置に向けて縮径するように形成されている。
【００３６】
また、本実施例の壜体１では、折目線１３の縦方向に対する傾斜角度は約４５°程度としている。この傾斜角度は、壜体の形状や、内容液のスムーズな注出性に係る胴部４の周壁の減容変形の態様を考慮して適宜に決めることができるものである。
【００３７】
結合蓋２０（以下、図１および図２参照）は、壜体１の口筒部２に外嵌して螺合結合する組付き筒２１の上端から内鍔状の頂壁を介して嵌合筒２２を起立連設して構成され、この嵌合筒２２の上端開口部内周に係合周条２３を設け、この係合周条２３に密に係合組付きする状態で、この嵌合筒２２を塞ぐ中栓２４を組付けている。なお、結合蓋２０の口筒部２への組付きは螺合に限るものではなく、アンダーカットでも良い。
【００３８】
組付き筒２１は、直線円筒形状をしていて、継続使用容器Ｂ側に倒立姿勢で組付いた状態で、この倒立姿勢となった詰め替え容器Ａを安定して保持することのできる強度を有するものとなっている。
【００３９】
なお、組付き筒２１を下方に延長した状態で設けられて口筒部２に密嵌入する筒片は、結合蓋２０の口筒部２に対する密な組付きを高めるものである。
【００４０】
本発明における継続使用容器Ｂ（以下、図１および図２参照）は、ボトル状の容器本体３０と、この容器本体３０の口筒３１に密に組付く本体キャップ４０を有している。
【００４１】
本体キャップ４０（図２参照）は、容器本体３０の口筒３１に密に嵌入する嵌入筒４１と、注出筒片４４を有し、この注出筒片４４は、嵌入筒４１の底板４２に立設され、筒壁の一部に全高さ範囲に亘って割り溝を設けた直線円筒状に構成され、嵌入筒４１の上端に外鍔状に連設され、取付け筒４５を起立設した頂板の外周端には、装着筒４６が垂下設されている。
【００４２】
底板４２は、一方側にやや偏った箇所に下降傾斜したテーパ壁状をしており、その中央部分に開設された注出開口４３の開口縁に、注出筒片４４が起立設されており、この注出筒片４４の開口側部の下端が位置する底板４２の最下位の部分である下端開口部４３ａは、継続使用容器Ｂの使用時には、液戻り口として機能し、内容液Ｎの詰め替え動作時には容器本体３０内の空気の排気口として機能する。
【００４３】
また、注出筒片４４のやや下位に位置する内部には、注出筒片４４に嵌入組付けされた嵌合筒２２に設けられている中栓２４を、押上げ開放する押上げ体４８が設けられており、詰め替え容器Ａを倒立姿勢で継続使用容器Ｂに組付けて押下げるだけで、中栓２４が開放されて内容液Ｎの詰め替えが開始されるようになっている。
【００４４】
取付け筒４５は、計量キャップ（図示省略）を螺合組付けする部分であり、装着筒４６は、本体キャップ４０を容器本体３０の口筒３１にアンダーカット結合させる部分である。
【００４５】
次に、詰め替え容器Ａから継続使用容器Ｂへの内容液Ｎの詰め替え動作を説明する。
正立姿勢にある継続使用容器Ｂの本体キャップ４０の注出筒片４４に、倒立姿勢にした詰め替え容器Ａの嵌合筒２２を嵌入組付け（図２参照）して行く。
【００４６】
この継続使用容器Ｂに対する詰め替え容器Ａの組付き姿勢は、注出筒片４４に対する嵌合筒２２の嵌入にガイドされて達成されるので、注出筒片４４に対する嵌合筒２２の嵌入が進むに従って、継続使用容器Ｂに対する詰め替え容器Ａの倒立姿勢での組付きが安定する。
【００４７】
注出筒片４４に対して嵌合筒２２を嵌入組付けし、さらに押し込むことにより、押上げ体４８の押上げ片４９が中栓２４に突き当たり、この中栓２４に押上げ力を作用させるようになる。
【００４８】
注出筒片４４に対する嵌合筒２２の嵌入組付きがさらに進行すると、先ず押上げ片４９の押上げ部分４９ａからの押上げ力作用により、中栓２４が上方に押上げられて傾動変位して、さらに押し込むことにより開口Ｋが形成され始める。
【００４９】
注出筒片４４に対する嵌合筒２２の組付きを推し進めると、開放傾動した中栓２４は、押上げ片４９の開放姿勢を保持する部分である保持部分４９ｂにより支持されて、開口Ｋの開放状態（図３参照）が維持される。
【００５０】
開口Ｋが形成されると、詰め替え容器Ａの壜体１内の内容液Ｎが自重により自然流下して、継続使用容器Ｂの容器本体３０内に注出され、内容液Ｎの詰め替え動作が開始されるが、この内容液Ｎの自重による自然注出により、壜体１内に減圧が発生する。
【００５１】
壜体１内に減圧が発生すると、稜線１２を柱部として各パネル壁１１が折目線１３を折目として陥没状に変形して減圧を吸収するが、この際、折目線１３が一定した同一方向に傾斜しているので、胴部４は、捩れ状に折り畳み変形しながら縦方向に縮小（図３参照）して減容変形する。
【００５２】
この胴部４における捩れ状の折り畳み変形は、稜線１２が等間隔に３本形成されていること、パネル壁１１が同じ大きさおよび構成で周方向に沿って均等に配置されていることから、各パネル壁１１における陥没変形が略等しい状態で進行し、胴部４は横にぶれることなく縦方向に縮小して減容変形する。
【００５３】
この胴部４の縦方向に縮小した減容変形が進行すると、胴部４の周壁の折畳み変形部分同士の突き当たりや、壜体１内に発生した減圧と開口Ｋにおける流動抵抗等による内容液Ｎの流下注出しようとする力と、内容液Ｎの注出を阻止しようとする力との関係により、内容液Ｎの注出は一旦停止する。
【００５４】
しかしながら、この内容液Ｎの注出の停止は一時的なもので、開口Ｋの大きさが、内容液Ｎの自然注出が行われ易い程度に大きく設定されているので、例えばすぐに開口Ｋから外気を気泡Ｅ状に吸引して（図４参照）、息つき状に内容液Ｎの注出を継続させ、内容液Ｎの詰め替えを達成する。
【００５５】
内容液Ｎの詰め替えを完了した壜体１の胴部４は、ある程度縦に折り畳み変形させた状態となっているが、この壜体１に対して手で縦方向に押し潰すと、壜体１の胴部４は、折り畳んだ周壁を折り重ねた状態で、底部５を半球殻状の肩部３中に回動変位しながら埋め込むようにして、十分に押し潰すと共に押し潰し状態を安定して自己維持（図５参照）したまま廃棄処理することができる。
【００５６】
好ましくは、壜体１を押し潰す際に、底部５を１２０°程度回動させるとよい。すなわち、底部５と肩部３の三角形状の形状が一致し、これにより壜体１の押し潰し状態を維持することができ、さらに底部５を半球殻状の肩部３の中に埋め込むようにして、十分に押し潰すと、さらに押し潰し状態を安定して維持することができ、良好な廃棄状態を得ることができる。
【００５７】
開口Ｋを大きく設定することにより、内容液Ｎの息つき注出が可能となるのであるが、図６は、開口Ｋの大きさを、押上げ体４８を利用して設定する構成例を示すもので、図６は、押上げ体４８を、押上げ部分４９ａと保持部分４９ｂとから成る押上げ片４９と、押上げ片４９を起立設した梁片５０と、組付きリング５１とから構成し、組付きリング５１を、注出筒片４４の内周面に設けた係合リブ４７に係合させることにより、注出筒片４４に対する押上げ体４８の組付けを達成している。
【００５８】
図６に示した押上げ体４８の実施例の場合、押上げ片４９は、高さの大きい押上げ部分４９ａと、高さの低い保持部分４９ｂとが別々に設けられており、両押上げ片４９は中央位置から互いに反対側に偏って位置し、これにより中栓２４を一定方向に傾動開放すると共に、この傾動開放した中栓２４を開放姿勢に保持するようにしている。
【００５９】
押上げ片４９を起立設した梁片５０は、押上げ片４９を起立設した位置まで延出した突片状に構成することにより、図６の（ａ）のＡ−Ａ線に沿った平断面である図６の（ｂ）に示されるように、できる限り大きい開口Ｋを形成するようにする。
【００６０】
図７は、ヒンジ２５付きの中栓２４と押上げ片４９との組合せを示したもので、ヒンジ２５付きの中栓２４の場合、その傾動開放方向が一定して安定しているので、中栓２４の傾動開放による開口Ｋの安定した開放形成を得ることができる。
【００６１】
なお、図示実施例の場合、押上げ体４８を注出筒片４４と別体に成形した構成となっているが、押上げ体４８を注出筒片４４に一体成形する構成とすることが可能である。
【００６２】
また、内容液Ｎの流下注出しようとする力に対する、壜体の減圧変形に伴う内容液Ｎの注出を阻止しようとする力の関係調整は、押上げ体４８による開口Ｋの大きさの調整に限定されることはなく、要は詰め替え容器Ａと継続使用容器Ｂの間に形成される詰め替え通路の通路面積を調整することができるものであれば、どのような手段であっても採用することが可能である。
【００６３】
さらに、中栓２４は、嵌合筒２２に組付く構造となっているが、これに限定されることはなく、嵌合筒２２に一体成形しても良いものである。
【産業上の利用可能性】
【００６４】
以上に説明したように、本発明における継続使用容器と詰め替え容器の組合せは、詰め替えの終えた詰め替え容器の十分な減容化を簡単にかつ安定的に達成することができるものであり、詰め替え済みの詰め替え容器の廃棄処理技術として、幅広い利用展開が期待できる。
【符号の説明】
【００６５】
Ａ  ；詰め替え容器
１  ；壜体
２  ；口筒部
３  ；肩部
４  ；胴部
５  ；底部
１１；パネル壁
１２；稜線
１３；折目線
２０；結合蓋
２１；組付き筒
２２；嵌合筒
２３；係合周条
２４；中栓
２５；ヒンジ
Ｂ  ；継続使用容器
３０；容器本体
３１；口筒
４０；本体キャップ
４１；嵌入筒
４２；底板
４３；注出開口
４３ａ；下端開口部
４４；注出筒片
４５；取付け筒
４６；装着筒
４７；係合リブ
４８；押上げ体
４９；押上げ片
４９ａ；押上げ部分
４９ｂ；保持部分
５０；梁片
５１；組付きリング
Ｅ  ；気泡
Ｋ  ；開口
Ｎ  ；内容液
【図１】
0005541568.tif 000002
【図２】
0005541568.tif 000003
【図３】
0005541568.tif 000004
【図４】
0005541568.tif 000005
【図５】
0005541568.tif 000006
【図６】
0005541568.tif 000007
【図７】
0005541568.tif 000008